【手続補正書】
【提出日】平成27年3月30日(2015.3.30)
【手続補正１】
【補正対象書類名】明細書
【補正対象項目名】００５６
【補正方法】変更
【補正の内容】
【００５６】
前述した例は、説明に過ぎず、本発明を限定するものではない。また、例示的な実施形態を参照しながら本発明を説明したが、本明細書で使用した用語は、説明用に過ぎず、本発明を限定するものではない。本発明の各種態様の範囲および精神を逸脱しない範囲で、様々な変更が可能であり、そのような変更は、現時点および補正後の特許請求の範囲の範疇に含まれる。さらに、特定の手段、材料および実施形態を参照しながら本発明を説明したが、本発明は、本明細書に開示されたこれらの具体的なものに限定されない。むしろ、本発明は、あらゆる等価的な構造、方法および用途にまで及ぶものであり、それらも添付の特許請求の範囲の範疇に含まれる。
なお、本発明は、実施の態様として以下の内容を含む。
［態様１］
電気機械エネルギー変換器のステータとロータとの間の空隙を維持する機械組立体であって、
構造スリーブと、
前記構造スリーブの内側面に取り付けられた複数のステータ部と、
前記構造スリーブによって取り囲まれ、かつ当該構造スリーブと同心であるハブと、
前記構造スリーブによって取り囲まれ、かつ前記ハブに変位可能に連結された複数のロータ部と、
前記構造スリーブ内に配置され、かつ当該構造スリーブと同心であるレールシステムであって、前記複数のロータ部を略円状の経路で案内し、かつ前記複数のステータ部と当該複数のロータ部との間の空隙を形成するレールシステムと、
を備える、機械組立体。
［態様２］
態様１に記載の機械組立体において、前記構造スリーブの直径が、少なくとも１メートルである、機械組立体。
［態様３］
態様１に記載の機械組立体において、前記複数のステータ部の各ステータ部が、前記構造スリーブの前記内側面に取外し可能に取り付けられている、機械組立体。
［態様４］
態様１に記載の機械組立体において、前記複数のステータ部の各ステータ部が、他のステータ部に連結されている、機械組立体。
［態様５］
態様１に記載の機械組立体において、前記ハブの内部が、空洞と補強手段とを形成している、機械組立体。
［態様６］
態様１に記載の機械組立体において、前記ハブが、中央ハブと複数のスポークとを有しており、前記中央ハブは、その直径が前記ハブよりも小さく、前記複数のスポークは、前記中央ハブから、前記ハブの外周となる縁部に向かって径方向に延びている、機械組立体。
［態様７］
態様１に記載の機械組立体において、前記複数のロータ部の各ロータ部が、
前記ハブに固定されて当該ハブと所与のロータ部との間でトルクを伝達する駆動ドッグと、
前記所与のロータ部と前記ハブとの間に設けられて当該ハブに抗する径方向力を生成して前記所与のロータ部を前記レールシステムに対して押圧する保持ばねと、
によって、前記ハブに変位可能に連結されている、機械組立体。
［態様８］
態様１に記載の機械組立体において、前記複数のロータ部の各ロータ部が、
一端部が前記ハブに回動可能に取り付けられ、別端部が所与のロータ部に回動可能に取り付けられて当該所与のロータ部と前記ハブとの間でトルクを伝達する駆動アームと、
一端部が前記ハブに回動可能に取り付けられ、別端部が対応する駆動アームに回動可能に取り付けられて前記ハブに抗する径方向力を生成して、前記対応する駆動アームおよび前記所与のロータ部を前記レールシステムに対して押圧するアームばねと、
によって、前記ハブに変位可能に連結されている、機械組立体。
［態様９］
態様１に記載の機械組立体において、前記複数のロータ部の各ロータ部が、前記レールシステム上を走行する複数のホイールを有している、機械組立体。
［態様１０］
態様１に記載の機械組立体において、前記レールシステムが、前記構造スリーブおよびステータのうちの一方に装着されている、機械組立体。
［態様１１］
態様１に記載の機械組立体において、前記複数のステータ部と前記複数のロータ部との間の前記空隙が、０．２５〜５ミリメートルである、機械組立体。
［態様１２］
態様１に記載の機械組立体において、さらに、前記複数のロータ部の各対に介在する変位可能連結手段を備えており、前記変位可能連結手段は、（ｉ）前記複数のロータ部の各ロータ部が独立的に前記レースシステムに追従することを可能にし、（ｉｉ）所与のロータ部とこれに隣り合うロータ部とを解除可能に連結し、（ｉｉｉ）前記複数のロータ部を磁気的に連結するものであり、前記変位可能連結手段は、ピンとこれに対応するピボットとの組合せ；ヒンジ；およびボールとこれに対応するソケットとの組合せ；のいずれかである、機械組立体。
［態様１３］
態様１に記載の機械組立体において、さらに、前記ハブを駆動可能に当該ハブに取り付けられ、波の上下揺および前後揺を、発電に利用されるトルクに変換する、回転可能なフロートを備える、機械組立体。
［態様１４］
態様１に記載の機械組立体において、前記複数のステータ部および前記複数のロータ部が、交流（ＡＣ）モータ、直流（ＤＣ）モータ、ＡＣ発電機およびＤＣ発電機のいずれか１つにセットで設けられている、機械組立体。
［態様１５］
電気機械エネルギー変換器のステータとロータとの間の空隙を維持する方法であって、
構造スリーブを設ける過程と、
前記構造スリーブの内側面に複数のステータ部を取り付ける過程と、
前記構造スリーブによって取り囲まれ、かつ当該構造スリーブと同心であるハブを設ける過程と、
複数のロータ部を、前記構造スリーブによって取り囲まれるように、前記ハブに変位可能に連結する過程と、
前記複数のロータ部を略円状の経路で案内し、かつ前記複数のステータ部と当該複数のロータ部との間の空隙を形成するように、レールシステムを、前記構造スリーブ内に配置する過程であって、当該レールシステムを、前記構造スリーブと同心に配置する過程と、
を含む方法。
【手続補正２】
【補正対象書類名】図面
【補正対象項目名】図１Ａ
【補正方法】変更
【補正の内容】
【図１Ａ】
2014528228.tif 000001
【手続補正３】
【補正対象書類名】図面
【補正対象項目名】図１Ｂ
【補正方法】変更
【補正の内容】
【図１Ｂ】
2014528228.tif 000002
【手続補正４】
【補正対象書類名】図面
【補正対象項目名】図１Ｃ
【補正方法】変更
【補正の内容】
【図１Ｃ】
2014528228.tif 000003
【手続補正５】
【補正対象書類名】図面
【補正対象項目名】図２
【補正方法】変更
【補正の内容】
【図２】
2014528228.tif 000004
【手続補正６】
【補正対象書類名】図面
【補正対象項目名】図３Ａ
【補正方法】変更
【補正の内容】
【図３Ａ】
2014528228.tif 000005
【手続補正７】
【補正対象書類名】図面
【補正対象項目名】図３Ｂ
【補正方法】変更
【補正の内容】
【図３Ｂ】
2014528228.tif 000006
【手続補正８】
【補正対象書類名】図面
【補正対象項目名】図４
【補正方法】変更
【補正の内容】
【図４】
2014528228.tif 000007
【手続補正９】
【補正対象書類名】図面
【補正対象項目名】図５Ａ
【補正方法】変更
【補正の内容】
【図５Ａ】
2014528228.tif 000008
【手続補正１０】
【補正対象書類名】図面
【補正対象項目名】図５Ｂ
【補正方法】変更
【補正の内容】
【図５Ｂ】
2014528228.tif 000009
【手続補正１１】
【補正対象書類名】図面
【補正対象項目名】図５Ｃ
【補正方法】変更
【補正の内容】
【図５Ｃ】
2014528228.tif 000010
【手続補正１２】
【補正対象書類名】図面
【補正対象項目名】図６Ａ
【補正方法】変更
【補正の内容】
【図６Ａ】
2014528228.tif 000011
【手続補正１３】
【補正対象書類名】図面
【補正対象項目名】図６Ｂ
【補正方法】変更
【補正の内容】
【図６Ｂ】
2014528228.tif 000012
【手続補正１４】
【補正対象書類名】図面
【補正対象項目名】図７Ａ
【補正方法】変更
【補正の内容】
【図７Ａ】
2014528228.tif 000013
【手続補正１５】
【補正対象書類名】図面
【補正対象項目名】図７Ｂ
【補正方法】変更
【補正の内容】
【図７Ｂ】
2014528228.tif 000014
【手続補正１６】
【補正対象書類名】図面
【補正対象項目名】図７Ｃ
【補正方法】変更
【補正の内容】
【図７Ｃ】
2014528228.tif 000015
【手続補正１７】
【補正対象書類名】図面
【補正対象項目名】図８Ａ
【補正方法】変更
【補正の内容】
【図８Ａ】
2014528228.tif 000016
【手続補正１８】
【補正対象書類名】図面
【補正対象項目名】図８Ｂ
【補正方法】変更
【補正の内容】
【図８Ｂ】
2014528228.tif 000017
【手続補正１９】
【補正対象書類名】図面
【補正対象項目名】図９Ａ
【補正方法】変更
【補正の内容】
【図９Ａ】
2014528228.tif 000018
【手続補正２０】
【補正対象書類名】図面
【補正対象項目名】図９Ｂ
【補正方法】変更
【補正の内容】
【図９Ｂ】
2014528228.tif 000019
【手続補正２１】
【補正対象書類名】図面
【補正対象項目名】図９Ｃ
【補正方法】変更
【補正の内容】
【図９Ｃ】
2014528228.tif 000020